(57)【特許請求の範囲】
【請求項１】
軸方向先端部から導入された呼気を内部に捕集するシリンダと、
前記シリンダの内側に、その軸方向基端側から挿入されたピストンと、
前記軸方向先端部に設けられると共に、呼気を前記シリンダ内に導入する導入口が形成された導入筒と、
前記導入筒内において前記導入口よりも軸方向基端側に配設され、前記導入筒に呼気が導入されたときに呼気の導入圧により前記導入口を開放すると共に、呼気の導入を停止したときに前記導入口を閉塞する弁部材と、
を備え、
前記導入筒が、呼気を捕集する使用者の口でくわえられる外筒部と、前記外筒部よりも径方向内側に配設されると共に内側が前記導入口に連通する内筒部と、を有し、
前記外筒部及び前記内筒部には、それぞれ軸方向に沿って延在する溝部が形成されていると共に、前記外筒部に形成された溝部と前記内筒部に形成された溝部とが、それぞれの周方向に沿う位置を異ならせて配置されていることを特徴とする呼気捕集シリンジ容器。
【請求項２】
前記弁部材が、軸方向に変位して前記導入口を軸方向基端側から開閉する弁体部と、前記導入筒内に固定される支持部と、前記弁体が軸方向で変位可能となるように前記弁体と前記支持体とを連結する連結部と、を有し、
前記導入筒内のうち前記弁体部よりも軸方向基端側には、前記弁体部における軸方向基端側への変位量を制限すると共に前記導入口と前記シリンダの内側とを連通する連通路が形成された制限部材が配設されていることを特徴とする請求項１に記載の呼気捕集シリンジ容器。
【請求項３】
前記導入筒が、前記軸方向先端部に形成された口部と一体的に形成されていることを特徴とする請求項１または２に記載の呼気捕集シリンジ容器。
【請求項４】
前記シリンダの軸方向基端部には、径方向外側に向けて突出する突出板部が形成されており、
前記ピストンには、径方向内側に向けて陥没する収容凹部と、前記収容凹部内に該ピストンの外周に対して径方向に出没自在に配設された係合片部と、が形成されていることを特徴とする請求項１から３のいずれか１項に記載の呼気捕集シリンジ容器。
【請求項５】
前記ピストンが、軸方向に沿って延在すると共に径方向外側に向けて突出する複数の突リブ部を有し、
前記突リブ部の少なくとも１つの径方向先端部には、周方向に突出する周方向突出部が形成され、
前記シリンダの軸方向基端部には、周方向に間隔をあけて複数の突出板部が径方向の外側に向けて突設されていることを特徴とする請求項１から４のいずれか１項に記載の呼気捕集シリンジ容器。
【発明の詳細な説明】
【技術分野】
【０００１】
本発明は、呼気捕集シリンジ容器に関するものである。
【背景技術】
【０００２】
従来から、例えば病気や飲酒などの呼気検査において、使用者から吹き込まれる呼気を捕集する呼気捕集容器として、伸縮自在な袋状部材により構成された本体部を備えるものが知られている（例えば、特許文献１参照）。
【先行技術文献】
【特許文献】
【０００３】
【特許文献１】特開平９−３０４２４５号公報
【発明の概要】
【発明が解決しようとする課題】
【０００４】
しかしながら、このような呼気捕集容器では、本体部内に呼気を吹き込んでも、単に本体部が膨張変形するだけであるため、この呼気捕集容器が使用前であるか使用後であるかを判別することが困難であった。
また、このような呼気捕集容器では、搬送時や保管時など使用前にコンパクトであることが望まれている。
【０００５】
本発明は、前述の課題に鑑みてなされたもので、使用前後の判別が容易で、かつ使用前の状態でコンパクトである呼気捕集シリンジ容器を提供することを目的とする。
【課題を解決するための手段】
【０００６】
本発明は、上記のような課題を解決するために以下のような手段を採用した。すなわち、本発明の呼気捕集シリンジ容器は、軸方向先端部から導入された呼気を内部に捕集するシリンダと、前記シリンダの内側に、その軸方向基端側から挿入されたピストンと、前記軸方向先端部に設けられると共に、呼気を前記シリンダ内に導入する導入口が形成された導入筒と、前記導入筒内において前記導入口よりも軸方向基端側に配設され、前記導入筒に呼気が導入されたときに呼気の導入圧により前記導入口を開放すると共に、呼気の導入を停止したときに前記導入口を閉塞する弁部材と、を備え、前記導入筒が、呼気を捕集する使用者の口でくわえられる外筒部と、前記外筒部よりも径方向内側に配設されると共に内側が前記導入口に連通する内筒部と、を有し、前記外筒部及び前記内筒部には、それぞれ軸方向に沿って延在する溝部が形成されていると共に、前記外筒部に形成された溝部と前記内筒部に形成された溝部とが、それぞれの周方向に沿う位置を異ならせて配置されていることを特徴とする。
【０００７】
この発明では、導入口からシリンダ内に呼気を導入すると、ピストンが軸方向基端側に後退するので、ピストンが後退しているか否かにより、この呼気捕集シリンジ容器が使用されているか否かの判別が容易に行える。すなわち、導入筒内に配設されている弁部材が呼気の導入圧によって導入口を開放すると、導入口を介してシリンダ内に呼気が導入される。この呼気の導入に伴って、ピストンがシリンダ内を軸方向基端側に後退する。そして、導入口からの呼気の導入を停止すると、弁部材が導入口を閉塞し、導入口を介したシリンダ内への呼気の導入が規制される。
また、使用前の状態では、ピストンがシリンダの軸方向基端側から挿入されているため、呼気捕集シリンジ容器を減容化することが可能となる。
このように、ピストンの軸方向基端側への突出量を視認することにより、呼気捕集シリンジ容器の使用の前後を確認できるので、使用しているのか否かの判別が容易になると共に、使用前の状態で呼気捕集シリンジ容器がコンパクトになる。
また、内筒部及び外筒部それぞれに形成された溝部を通して内筒部及び外筒部の内部が連通するので、例えばピストンを手でシリンダの軸方向基端側に引きながら呼気を導入する場合に、ピストンを引くことによって発生した吸引力が内筒部から使用者の口に局所的に強くかかることを防止できる。ここで、内筒部の溝部と外筒部の溝部とのそれぞれの周方向に沿う位置を異ならせて配置することで、シリンダ内から内筒部に作用する吸引力を外筒部と内筒部との間を周方向に迂回させてから外筒部の外側に作用させることができるようになり、周方向に沿う位置を合わせた場合よりも、口にかかる吸引力を緩和させることができる。さらに、外筒部に溝部を形成することで、吸引力によって内筒部及び外筒部の軸方向先端部に例えば舌が密着しても、外筒部の溝部から外気を導入して外筒部内の減圧を解除することによって、密着から容易に解放できる。
【０００８】
また、本発明の呼気捕集シリンジ容器では、前記弁部材が、軸方向に変位して前記導入口を軸方向基端側から開閉する弁体部と、前記導入筒内に固定される支持部と、前記弁体が軸方向で変位可能となるように前記弁体と前記支持体とを連結する連結部と、を有し、前記導入筒内のうち前記弁体部よりも軸方向基端側に、前記弁体部における軸方向基端側への変位量を制限すると共に前記導入口と前記シリンダの内側とを連通する連通路が形成された制限部材が配設されてもよい。
この場合では、弁体部が呼気の導入圧によって軸方向基端側に変位して導入口を開放するときに、弁体部が制限部材に当接することにより、弁体部の軸方向基端側へのさらなる変位が規制される。このとき、呼気は、導入口から連通路を通してシリンダ内に導入される。これにより、弁体部が軸方向基端側に過剰に変位することを防止すると共に、連結部が損傷することを抑制する。さらに、呼気の導入を停止したときに弁体部が軸方向先端側に変位して導入口を閉塞することをより確実に行わせることができる。
【００１０】
また、本発明の呼気捕集シリンジ容器では、前記導入筒が、前記軸方向先端部に形成された口部と一体的に形成されてもよい。
この場合では、部品点数を削減できると共に、導入筒とシリンダとを別部材とする場合と比較して、導入筒をシリンダに取り付けるための構造を設ける必要がなくなるので、呼気捕集シリンジ容器をさらにコンパクト化することができる。
【００１１】
また、本発明の呼気捕集シリンジ容器では、前記シリンダの軸方向基端部に、径方向外側に向けて突出する突出板部が形成されており、前記ピストンに、径方向内側に向けて陥没する収容凹部と、前記収容凹部内に該ピストンの外周に対して径方向に出没自在に配設された係合片部と、が形成されてもよい。
この場合では、係合片部をシリンダから軸方向基端側に突出させた状態で、係合片部をピストンの外周から径方向外側に突出させて突出板部と係合させることにより、ピストンがシリンダ内で軸方向先端側に向けて進行することを規制することができる。これにより、シリンダ内に呼気を捕集した後に、シリンダ内に捕集した呼気が導入口を通して呼気捕集シリンジ容器の外部に流出されることを抑制できる。
【００１２】
また、本発明の呼気捕集シリンジ容器では、前記ピストンが、軸方向に沿って延在すると共に径方向外側に向けて突出する複数の突リブ部を有し、前記突リブ部の少なくとも１つの径方向先端部に、周方向に突出する周方向突出部が形成され、前記シリンダの軸方向基端部に、周方向に間隔をあけて複数の突出板部が径方向の外側に向けて突設されてもよい。
この場合では、シリンダ内に呼気を捕集した後にシリンダのうち突出板部が形成されていない部分をピストンの周方向突出部と周方向で位置合わせすることで、シリンダの外周面と周方向突出部とがほぼ同一面となり、シリンダの外周面から周方向突出部にわたって、例えば使用者の情報などを記載したラベルを貼付できる。
【発明の効果】
【００１３】
この発明にかかる呼気捕集シリンジ容器によれば、シリンダからのピストンの突出量を視認することによって呼気捕集シリンジ容器の使用の前後の判別が容易になると共に、ピストンをシリンダの内側に挿入することによって呼気捕集シリンジ容器が使用前の状態でコンパクトになる。
【図面の簡単な説明】
【００１４】
【図１】本発明の第１実施形態における呼気捕集シリンジ容器を示す軸方向断面図である。
【図２】図１の部分拡大図である。
【図３】図１の外筒部及び内筒部を示す斜視図である。
【図４】図１の制限部を示す斜視図である。
【図５】図１の呼気捕集シリンジ容器の変形例を示す部分拡大断面図である。
【図６】本発明の第２実施形態における呼気捕集シリンジ容器を示す部分拡大断面図である。
【図７】本発明の第３実施形態における呼気捕集シリンジ容器を示す部分拡大断面図である。
【図８】図７の制限部材を示す斜視図である。
【図９】本発明の第４実施形態における呼気捕集シリンジ容器を示す部分拡大断面図である。
【図１０】本発明の第５実施形態における呼気捕集シリンジ容器を示す、（Ａ）が部分拡大側面図であり、（Ｂ）が（Ａ）のＸ−Ｘ矢視断面図である。
【発明を実施するための形態】
【００１５】
以下、本発明における呼気捕集シリンジ容器の第１実施形態を、図面に基づいて説明する。なお、以下の説明に用いる各図面では、各部材を認識可能な大きさとするために縮尺を適宜変更している。
【００１６】
本実施形態における呼気捕集シリンジ容器１は、図１及び図２に示すように、呼気が内部に充填される円筒状のシリンダ２と、シリンダ２の内側にその軸方向基端側から挿入された棒状のピストン３と、シリンダ２に装着された開閉弁４と、開閉弁４に着脱自在に装着されるキャップ５と、を備えている。
なお、本実施形態では、シリンダ２の中心軸線を中心軸Ｏとし、中心軸Ｏに沿ってピストン３の挿入方向を上側、その反対側を下側とする。また、中心軸Ｏに直交する方向を径方向、中心軸Ｏ回りの方向を周方向とする。
【００１７】
シリンダ２は、呼気が充填される円筒状の摺動筒部１１と、摺動筒部１１の上端部に配設された円筒状の口部１２と、口部１２よりも径方向外側に配設された円筒状の螺着筒部１３と、を備えている。これら摺動筒部１１及び口部１２は、中心軸Ｏと同軸に配設されている。
摺動筒部１１の下端部には、径方向外側に向けて突出する突出板部１４が全周にわたって形成されている。この突出板部１４の下面には、上側に向けて陥没する環状溝部１４Ａが全周にわたって形成されている。
口部１２の内径は、摺動筒部１１の内径よりも小さくなっており、口部１２の内側は、摺動筒部１１の内側に連通している。
螺着筒部１３は、上側に向けて突設されており、その内周面には、雌ネジ部が形成されている。
【００１８】
ピストン３は、摺動筒部１１の内側にその下端部側から挿入されており、シリンダ２に対して相対的に中心軸Ｏに沿って往復移動する。そして、ピストン３は、中心軸Ｏに沿って延在するピストン本体部２１と、ピストン本体部２１の下端部に設けられた操作部２２と、ピストン本体部２１の上端部に取り付けられた摺動部２３と、を備えている。
ピストン本体部２１は、中心軸Ｏに沿って延在する４つの突リブ部２４を横断面十字状に配設した形状をなしており、摺動筒部１１の内側において中心軸Ｏに沿って往復移動可能に挿入されている。
【００１９】
操作部２２は、ピストン本体部２１の下端部から全周にわたって径方向外側に向けて突出している。
摺動部２３は、上端面がテーパ状をなす円柱状をなしており、ゴムや樹脂などから形成されている。また、摺動部２３は、摺動筒部１１の内周面に対して中心軸Ｏに沿って摺動移動可能に摺接している。
【００２０】
開閉弁４は、図２に示すように、口部１２に装着された導入筒３１と、導入筒３１の内側に配設された弁部材３２と、を備えている。
導入筒３１は、口部１２に装着される装着筒３５と、装着筒３５の内側に配設された連通筒３６と、を有する。
装着筒３５は、上面視で円環状の底壁部４１と、底壁部４１の内周縁部から下側に向けて突設された円筒状の装着筒部４２と、装着筒部４２よりも径方向外側において底壁部４１から下側に向けて突設された円筒状の囲繞筒部４３と、底壁部４１の外周縁部から上側に向けて突設された外筒部４４と、外筒部４４よりも径方向内側に配設された制限部（制限部材）４５と、を有する。これら底壁部４１、装着筒部４２、囲繞筒部４３及び外筒部４４は、中心軸Ｏと同軸上に配設されている。
【００２１】
装着筒部４２の外周面には、螺着筒部１３の雌ネジ部と螺合する雄ネジ部が形成されており、装着筒部４２は、口部１２と螺着筒部１３との間に配設されている。また、装着筒部４２の上端部は、底壁部４１よりも上側に突出している。
囲繞筒部４３は、螺着筒部１３を径方向外側から囲っている。
外筒部４４の上下方向中央部の内面には、陥没するように形成された係合凹部４４Ａが全周にわたって形成されている。また、外筒部４４には、図２及び図３に示すように、上端部から中心軸Ｏに沿って下側に向けて延在する連通溝部４４Ｂが形成されている。
【００２２】
制限部４５は、図４に示すように、中心軸Ｏ及び径方向の双方向に沿って延在する４つの板状の制限板部４６を有している。これら制限板部４６の上端部には、図２に示すように、弁部材３２の後述する弁体部（弁体）５２の外周縁部が当接可能となっている。また、周方向で隣り合う２つの制限板部４６間には、図２及び図４に示すように、制限部４５よりも上側とシリンダ２の内側とを連通する連通路４６Ａが形成されている。
【００２３】
連通筒３６は、図２に示すように、上面視で円環状をなす環状壁部４７と、環状壁部４７の内周縁部から上側に向けて突設された円筒状の内筒部４８と、環状壁部４７の外周縁部から下側に向けて突設された下筒部４９と、を有する。これら環状壁部４７、内筒部４８及び下筒部４９は、中心軸Ｏと同軸上に配設されている。
【００２４】
環状壁部４７の内側開口は、導入口４７Ａを形成している。そして、環状壁部４７の内周縁部は、後述する弁体部５２の弁座を形成している。
内筒部４８は、外筒部４４よりも径方向内側に配設されている。また、内筒部４８には、図２及び図３に示すように、上端部から中心軸Ｏに沿って下側に向けて延在する連通溝部４８Ａが形成されている。内筒部４８における連通溝部４８Ａは、外筒部４４における連通溝部４４Ｂとは周方向で９０°ずらした位置に配設されている。
下筒部４９は、図２に示すように、外筒部４４の内側に取り付けられており、その下端部は、底壁部４１に当接している。また、下筒部４９の上下方向中央部には、径方向外側に向けて突出すると共に係合凹部４４Ａと係合する係合突部４９Ａと、係合突部４９Ａよりも下側において径方向内側に向け突出する係合突部４９Ｂと、がそれぞれ全周にわたって形成されている。
【００２５】
弁部材３２は、下筒部４９の上端部に内嵌された扁平な円筒状の支持筒部（支持部）５１と、内筒部４８の導入口４７Ａを下側から閉塞する円板状の弁体部５２と、支持筒部５１と弁体部５２とを連結する弾性連結部（連結部）５３と、を備える。これら支持筒部５１及び弁体部５２は、中心軸Ｏと同軸上に配設されている。
支持筒部５１は、下筒部４９の内側に取り付けられており、その下端部は、制限板部４６の上端部に当接している。また、支持筒部５１の下端部には、径方向外側に向けて突出すると共に係合突部４９Ｂと係合する係合突部５１Ａが全周にわたって形成されている。
【００２６】
弁体部５２は、外径が環状壁部４７の内径よりも大径とされており、環状壁部４７の内周縁部に下側から着座している。この弁体部５２には、内筒部４８に呼気が導入されたときに、呼気の導入圧が導入口４７Ａを通して作用する。
弾性連結部５３は、周方向で等間隔に複数（本実施形態では３つ）配設されており、弁体部５２に呼気の導入圧が作用したときに弾性変形して弁体部５２を下側に向けて変位させる。これにより、導入口４７Ａが開放され、開閉弁４が開状態となる。また、呼気の導入を停止すると、弾性連結部５３が復元変形して弁体部５２を上側に復元変位させる。これにより、導入口４７Ａが閉塞され、開閉弁４が閉状態となる。
【００２７】
本実施形態の開閉弁４では、シリンダ２の口部１２を通して呼気が流出しようとしても、弁体部５２に呼気の流出圧が下側から作用することによって、環状壁部４７の内周縁部に弁体部５２の外周縁部が押し付けられるので、口部１２を通した呼気の流出が阻止される。したがって、開閉弁４は、口部１２を通したシリンダ２の内側への呼気の導入を許容し、かつシリンダ２から口部１２を通して呼気が流出することを阻止する逆止弁となっている。
【００２８】
次に、以上のような構成の呼気捕集シリンジ容器１による呼気の捕集方法について説明する。
導入筒３１に呼気を吹き込むと、呼気の導入圧によって、弁体部５２が下側に向けて変位して環状壁部４７の内周縁部から離間し、導入口４７Ａが開放される。このとき、弁体部５２の外周縁部は、制限板部４６の上端部に当接することで、さらに下側に変位することが規制されている。そのため、弁体部５２と支持筒部５１とを連結する弾性連結部５３が過度に弾性変形することが抑制される。
【００２９】
導入筒３１に吹き込まれた呼気は、開閉弁４における連通筒３６の内側、導入口４７Ａ、連通路４６Ａ及び口部１２の下端開口を通してシリンダ２内に導入される。このとき、内筒部４８及び外筒部４４それぞれに連通溝部４８Ａ、４４Ｂを形成しており、内筒部４８と外筒部４４とが連通しているので、外筒部４４に吹き込まれた呼気も、内筒部４８の連通溝部４８Ａ及び内筒部４８内を通してシリンダ２内に導入される。
【００３０】
シリンダ２内に呼気が導入されると、シリンダ２の内圧が上昇し、シリンダ２の内周面に気密に摺接しているピストン３の摺動部２３が下側に向けて摺動する。このようにして所定量の呼気をシリンダ２内に吹き込む。その後、呼気の吹き込みを停止すると、弁体部５２にかかる呼気の導入圧が解除され、弾性連結部５３が復元変形する。これにより、弁体部５２が上側に向けて変位して環状壁部４７の内周縁部に再び着座する。ここで、弁体部５２が下側から環状壁部４７の内周縁部に着座しており、シリンダ２の内圧によって弁体部５２が上側に変位しないので、例えばピストン３をシリンダ２内に押し込んでシリンダ２の内圧が上昇しても、シリンダ２内から導入口４７Ａを通した呼気の流出が規制される。
以上のようにして、呼気の捕集を行う。このように、シリンダ２内に呼気を捕集すると、シリンダ２からのピストン３の突出量が増大する。そして、このピストン３の突出量を視認することによって、呼気捕集シリンジ容器１が使用前か使用後であるかの判別が行える。
【００３１】
なお、導入筒３１に呼気を吹き込むことによってシリンダ２内に呼気を導入しているが、ピストン３を下側に引くことによって呼気を捕集してもよい。この場合、ピストン３を下側に引くと、シリンダ２の内圧が低下するので、弁体部５２が下側に向けて変位して環状壁部４７の内周縁部から離間する。これにより、導入口４７Ａが開放される。
導入口４７Ａを開放すると、導入筒３１の内筒部４８の内側が負圧となるので、内筒部４８から導入口４７Ａを通してシリンダ２内に呼気が吸入される。その後、ピストン３を下方に引っ張ることを停止すると、弁体部５２が上側に向けて変位して環状壁部４７の内周縁部に再び着座する。
さらに、呼気の吹き込みと、ピストン３を下側に引くこととを併せて呼気を捕集してもよい。
【００３２】
このとき、上述と同様に、内筒部４８と外筒部４４とが連通しているので、外筒部４４からも呼気がシリンダ２内に導入されると共に、負圧による吸引力が内筒部４８に対して局所的に強く作用することが抑制される。また、連通溝部４４Ｂ、４８Ａの周方向に沿う配置位置をずらしているので、外筒部４４と内筒部４８との間を周方向に迂回させてから吸引力が外筒部４４に作用する。これにより、外筒部４４をくわえる口にかかる吸引力が緩和される。さらに、吸引力によって装着筒３５の上端部に例えば舌が密着しても、外筒部４４の連通溝部４４Ｂから外気を導入して減圧を解除することによって、この密着を解放する。
【００３３】
以上のような構成の呼気捕集シリンジ容器１によれば、呼気の捕集後にシリンダ２からのピストン３の突出量が増大するので、この突出量を視認するだけで呼気捕集シリンジ容器１が使用前であるか否かの判別が可能になる。また、ピストン３がシリンダ２の内側に挿入されているので、使用前の呼気捕集シリンジ容器１がコンパクト化される。
さらに、弁体部５２の下側への変位量を制限部４５で制限して弾性連結部５３が過度に弾性変形することを防止することにより、呼気の導入を停止したときに、弁体部５２を環状壁部４７の内周縁部により確実に着座させることができる。
また、ピストン３を下側に引くことによって呼気をシリンダ２内に捕集する場合に、外筒部４４をくわえる使用者の例えば舌などが内筒部４８及び外筒部４４に吸引されることを抑制すると共に、舌などが内筒部４８及び外筒部４４に密着した場合に、この密着を容易に解除することができる。
【００３４】
なお、本実施形態では、装着筒３５がシリンダ２の螺着筒部１３に螺着されているが、例えば図５に示すように、導入筒６０の装着筒６１が円筒状の外嵌筒部６２を有しており、この外嵌筒部６２をシリンダ２の口部１２に外嵌することによって装着する構成など、他の構成でシリンダ２に装着されてもよい。この場合、シリンダ２及びピストン３の形状を変更する必要はない。
【００３５】
次に、本発明による呼気捕集シリンジ容器の第２実施形態を、図面に基づいて説明する。なお、ここで説明する実施形態は、その基本的構成が上述した第１実施形態と同様であり、上述の第１の実施形態に別の要素を付加したものである。したがって、図６においては、図１から図４と同一の構成要素に同一符号を付し、その説明を省略する。
【００３６】
本実施形態における呼気捕集シリンジ容器１００では、図６に示すように、導入筒１０１が口部１２内に配設されている。
導入筒１０１は、上面視で円環状の環状壁部１０２と、環状壁部１０２の内周縁部から上側に向けて突設された円筒状の内嵌筒部１０３と、環状壁部１０２の外周縁部から下側に向けて突設された円筒状の下筒部１０４と、を備えている。これら環状壁部１０２、内嵌筒部１０３及び下筒部１０４は、中心軸Ｏと同軸に配設されている。
【００３７】
環状壁部１０２は、口部１２よりも下側に配設されており、その内側開口は、導入口１０２Ａを形成している。また、環状壁部１０２の内周縁部は、弁体部５２の弁座を形成している。
内嵌筒部１０３は、口部１２の内周面に内嵌されており、その下端部は、口部１２よりも下側に向けて突出している。
下筒部１０４の下端部には、径方向内側に向けて突出する係合突部１０４Ａが全周にわたって形成されている。
【００３８】
弁部材３２の弁体部５２は、外径が環状壁部１０２の内径よりも大径とされており、環状壁部１０２の内周縁部に下側から着座している。
支持筒部５１は、下筒部１０４の内側に取り付けられており、支持筒部５１の係合突部５１Ａは、下筒部１０４の係合突部１０４Ａと係合している。
【００３９】
以上のような構成の呼気捕集シリンジ容器１００においても、上述した第１実施形態における呼気捕集シリンジ容器１と同様の作用、効果を奏するが、導入筒１０１及び弁部材３２をシリンダ２の内側に配設しているため、シリンダ２及びピストン３の形状を大幅に変更する必要がなくなる。
【００４０】
次に、本発明による呼気捕集シリンジ容器の第３実施形態を、図面に基づいて説明する。なお、ここで説明する実施形態は、その基本的構成が上述した第１実施形態と同様であり、上述の第１の実施形態に別の要素を付加したものである。したがって、図７及び図８においては、図１から図４と同一の構成要素に同一符号を付し、その説明を省略する。
【００４１】
本実施形態における呼気捕集シリンジ容器１１０では、図７に示すように、シリンダ１１１の口部１１２が第１実施形態における装着筒３５と口部１２とを一体的にした形状をなしている。
口部１１２は、円筒状の外筒部１１３と、外筒部１１３よりも径方向内側に配設された円筒状の内筒部１１４と、外筒部１１３と内筒部１１４とを連結する上面視で円環状の環状壁部１１５と、を備えている。これら外筒部１１３、内筒部１１４及び環状壁部１１５は、中心軸Ｏと同軸上に配設されている。そして、口部１１２の内側には、弁部材３２と制限部材１１６とが配設されている。
【００４２】
外筒部１１３には、中心軸Ｏに沿って上端部から下側に向けて延在する連通溝部１１３Ａが形成されている。また、外筒部１１３の内周面には、径方向内側に向けて突出する係合突部１１３Ｂと、係合突部１１３Ｂよりも下側において径方向内側に向けて突出する係合突部１１３Ｃと、が全周にわたって形成されている。
内筒部１１４には、中心軸Ｏに沿って上端部から下側に向けて延在する連通溝部１１４Ａが形成されている。内筒部１１４の連通溝部１１４Ａの形成位置と外筒部１１３の連通溝部１１３Ａの形成位置とは、上述した第１実施形態と同様に、周方向でずらされている。
環状壁部１１５の内側開口は、導入口１１５Ａを形成している。また、環状壁部１１５の内周縁部は、弁体部５２の弁座を形成している。
【００４３】
弁部材３２の弁体部５２は、外径が環状壁部１１５の内径よりも大径となっており、環状壁部１１５の内周縁部に下側から着座している。
支持筒部５１は、環状壁部１１５より下方における外筒部１１３の内側に取り付けられており、支持筒部５１の係合突部５１Ａは、外筒部１１３の係合突部１１３Ｂと係合している。
【００４４】
制限部材１１６は、円筒状をなす筒壁部１１７と、筒壁部１１７の内側に配設された４つの制限板部１１８と、を備えている。
筒壁部１１７は、外筒部１１３の内側に取り付けられている。そして、筒壁部１１７の下端部は、径方向外側に向けて全周にわたって突出しており、外筒部１１３の係合突部１１３Ｃと係合している。
４つの制限板部１１８は、横断面十字状に配設されており、周方向で隣り合う２つの制限板部１１８と筒壁部１１７とによって連通路１１８Ａを画定する。
【００４５】
以上のような構成の呼気捕集シリンジ容器１１０においても、上述した第１実施形態における呼気捕集シリンジ容器１と同様の作用、効果を奏するが、口部１１２が第１実施形態における導入筒３１と口部１２とを一体化した構成となることで、部品点数の削減が図れる。また、例えば第１実施形態における装着筒部４２のような導入筒３１をシリンダ２の口部１２に装着するための構造を設ける必要がなくなるので、呼気捕集シリンジ容器１１０が低背化し、さらなるコンパクト化が図れる。
【００４６】
次に、本発明による呼気捕集シリンジ容器の第４実施形態を、図面に基づいて説明する。なお、ここで説明する実施形態は、その基本的構成が上述した第１実施形態と同様であり、上述の第１の実施形態に別の要素を付加したものである。したがって、図９においては、図１から図４と同一の構成要素に同一符号を付し、その説明を省略する。
【００４７】
本実施形態における呼気捕集シリンジ容器１２０では、図９に示すように、ピストン１２１のピストン本体部１２２を構成する４つの突リブ部１２３のうちの１つの径方向先端部には、径方向内側に向けて陥没する収容凹部１２３Ａと、収容凹部１２３Ａ内に収容可能な係合片部１２４と、が形成されている。
係合片部１２４は、中心軸Ｏに沿って延在する棒状をなしており、その上下方向の中央部は、ヒンジ部１２５を介して突リブ部１２３に接続されている。これにより、係合片部１２４は、上端部がヒンジ部１２５回りで径方向外側に突出するように回動可能となっている。なお、ヒンジ部１２５は、係合片部１２４の上端部をピストン１２１の外周から径方向外側に突出させることができれば、係合片部１２４の下端部に配設されてもよい。
【００４８】
次に、以上のような構成の呼気捕集シリンジ容器１２０による呼気の捕集方法について説明する。
まず、上述した実施形態と同様の方法により、シリンダ２内に呼気を捕集する。そして、呼気の捕集した後に、図９の矢印Ａに示すように、シリンダ２から突出している係合片部１２４をヒンジ部１２５回りで回動させ、係合片部１２４の上端部を突出板部１４の環状溝部１４Ａと係合させる。これにより、ピストン３が上側に向けて進行することを規制する。
なお、係合片部１２４を収容凹部１２３Ａ内に再度収容することにより、ピストン１２１をシリンダ２内で上下方向に往復移動させることが可能となる。
【００４９】
以上のような構成の呼気捕集シリンジ容器１２０によれば、呼気を捕集した後に、係合片部１２４の上端部を突出板部１４の環状溝部１４Ａと係合させることで、ピストン１２１がシリンダ２内で上側に向けて進行して捕集した呼気を流出させることを抑制できる。
【００５０】
次に、本発明による呼気捕集シリンジ容器の第５実施形態を、図面に基づいて説明する。なお、ここで説明する実施形態は、その基本的構成が上述した第１実施形態と同様であり、上述の第１の実施形態に別の要素を付加したものである。したがって、図１０においては、図１から図４と同一の構成要素に同一符号を付し、その説明を省略する。
【００５１】
本実施形態における呼気捕集シリンジ容器１３０では、図１０Ａ及び図１０Ｂに示すように、ピストン１３１のピストン本体部１３２を構成する４つの突リブ部１３３のうち中心軸Ｏを径方向で挟む２つの突リブ部１３３の径方向外側の端部に、周方向に突出する周方向突出部１３４が形成されている。なお、周方向突出部１３４は、少なくとも１つの突リブ部１３３に形成されていればよい。
また、シリンダ１３５の下端部には、図１０に示すように、一対の突出板部１３６が径方向外側に向けて突設されている。
【００５２】
以上のような構成の呼気捕集シリンジ容器１３０においても、上述した第１実施形態における呼気捕集シリンジ容器１と同様の作用、効果を奏するが、呼気を捕集した後に、シリンダ１３５のうち一対の突出板部１３６が形成されていない部分と周方向突出部１３４とを周方向に位置合わせすることで、シリンダ１３５の外周面と周方向突出部１３４とがほぼ同一面になる。そのため、図１０Ａに示すように、シリンダ１３５の外周面から周方向突出部１３４にわたって、使用者の情報などを記載したラベル１３７を貼付できる。
【００５３】
なお、本発明は上記実施形態に限定されるものではなく、本発明の趣旨を逸脱しない範囲において種々の変更を加えることができる。
例えば、上述した第４及び第５実施形態の構成は、第１実施形態の構成に限らず、第２または第３実施形態の構成に適用してもよい。
弁部材は、呼気の導入時に導入圧によって導入口を開放すると共に呼気の導入の停止時に導入口を閉塞する構成であれば、他の構成であってもよい。
制限部材または制限部を配設しているが、これらを設けなくてもよい。
外筒部及び内筒部それぞれの連通溝部を周方向でずらす角度は、９０°に限られず、外筒部及び内筒部それぞれの連通溝部の配置位置を周方向で位置合わせしてもよい。
【産業上の利用可能性】
【００５４】
この発明によれば、操作性を維持しつつ、使用前後の判別が容易で、かつ使用前の状態でコンパクトである呼気捕集シリンジ容器に関して、産業上の利用可能性が認められる。
【符号の説明】
【００５５】
１，１００，１１０，１２０，１３０  呼気捕集シリンジ容器、２，１１１，１３５  シリンダ、３，１２１，１３１  ピストン、１２，１１２  口部、２４，１２３，１３３  突リブ部、３１，６０，１０１  導入筒、３２  弁部材、４４，１１３  外筒部、４４Ｂ，４８Ａ，１１３Ａ，１１４Ａ  連通溝部（溝部）、４５  制限部（制限部材）、４６Ａ，１１８Ａ  連通路、４７Ａ，１０２Ａ，１１５Ａ  導入口、４８，１１４  内筒部、５１  支持筒部（支持部）、５２  弁体部、５３  弾性連結部（連結部）、１１６  制限部材、１２３Ａ  収容凹部、１２４  係合片部、１３４  周方向突出部、１３６  突出板部、１３７  ラベル
【図１】
0005518765.tif 000002
【図２】
0005518765.tif 000003
【図３】
0005518765.tif 000004
【図４】
0005518765.tif 000005
【図５】
0005518765.tif 000006
【図６】
0005518765.tif 000007
【図７】
0005518765.tif 000008
【図８】
0005518765.tif 000009
【図９】
0005518765.tif 000010
【図１０】
0005518765.tif 000011